(57)【要約】【課題】洗浄水の噴出範囲を可変できるとともに現在の噴出範囲を視覚認識できるトイレ装置を提供する。【解決手段】洗浄水を局部に向けて噴出するとともにその噴出範囲を変更可能なノズル手段と、噴出範囲変更手段と、噴出範囲変更手段を制御する制御部と、制御部に対する指令手段１２と表示部１３を有するリモコン１１とを備えたトイレ装置において、リモコン１１に噴出範囲選択手段２０ａ、２０ｂを設けるとともに噴出範囲表示部２７を設け、リモコン１１の噴出範囲選択手段２０ａ、２０ｂを操作することで噴出範囲を任意に設定できかつその噴出範囲が噴出範囲表示部２７に表示されるようにした。【選択図】　　　図２
2004060332.tif 000002
【特許請求の範囲】
【請求項１】
洗浄水を局部に向けて噴出するとともにその噴出範囲を変更可能なノズル手段と、噴出範囲変更手段と、噴出範囲変更手段を制御する制御部と、制御部に対する指令手段と表示部を有するリモコンとを備え、リモコンに噴出範囲選択手段を設けるとともに噴出範囲表示部を設けたことを特徴とするトイレ装置。
【請求項２】
噴出範囲表示部は、中心部から周囲に向けて複数段階に設けられた表示片群から成り、噴出範囲に応じて中心から所要数の表示片が表示されるように構成したことを特徴とする請求項１記載のトイレ装置。
【請求項３】
噴出範囲表示部に、表示片群の配置範囲の全体を、各段階毎に区分して表示するスケール表示片を設けたことを特徴とする請求項２記載のトイレ装置。
【請求項４】
噴出範囲の初期設定値は、噴出範囲の最大範囲と最小範囲の中間値に設定されていることを特徴とする請求項１〜３の何れかに記載のトイレ装置。
【請求項５】
噴出範囲選択手段にて設定された噴出範囲の設定値は、噴出動作後所定時間経過すると初期設定値に復帰するように構成されていることを特徴とする請求項４記載のトイレ装置。
【請求項６】
噴出範囲の初期設定値の変更手段を設けたことを特徴とする請求項４記載のトイレ装置。
【請求項７】
ノズル手段からの洗浄水の噴出力を可変する噴出力変更手段を設けるととともに、リモコンに噴出力選択手段と噴出力の大きさを表示する噴出力表示部を設け、制御部による制御モードとして噴出範囲を最小に絞るとともに噴出力を最大にするパワフル噴出モードを設け、リモコンにパワフル噴出選択手段を設けたことを特徴とする請求項１記載のトイレ装置。
【請求項８】
パワフル噴射モード時に、リモコンの表示部は、噴出範囲表示部が最小範囲を表示し、噴出力表示部は最大値を表示するようにしたことを特徴とする請求項７記載のトイレ装置。
【請求項９】
パワフル噴射モード時の専用の表示手段を表示部に設けたことを特徴とする請求項７又は８記載のトイレ装置。
【請求項１０】
ノズル手段からの洗浄水の噴出力を可変する噴出力変更手段を設けるととともに、リモコンに噴出力選択手段と噴出力の大きさを表示する噴出力表示部を設け、制御部による制御モードとして噴出範囲が最大で噴出力が最小の状態と噴出範囲が最小で噴出力が最大の状態とを繰り返すマッサージ噴出モードを設け、リモコンにマッサージ噴出選択手段を設けたことを特徴とする請求項１記載のトイレ装置。
【請求項１１】
マッサージ噴出モード時に、リモコンの表示部は、噴出範囲表示部が最大範囲を、噴出力表示部は最小値を表示する状態と、噴出範囲表示部が最小範囲を、噴出力表示部は最大値を表示する状態とを、繰り返し表示するようにしたことを特徴とする請求項１０記載のトイレ装置。
【発明の詳細な説明】
【０００１】
【発明の属する技術分野】
本発明はトイレ装置に関し、特に局部に向けて噴出する洗浄水の噴出範囲を可変できるトイレ装置において、その噴出範囲を視覚認識できるようにしたトイレ装置に関するものである。
【０００２】
【従来の技術】
近年、局部に向けて洗浄水を噴出して洗浄する衛生洗浄手段を備えたトイレ装置において、例えば特許第３２９２１８５号明細書に開示されているように、洗浄水の噴出範囲、すなわち洗浄範囲を任意に拡大・縮小して調整できるようにしたものが提案されている。
【０００３】
【発明が解決しようとする課題】
しかしながら、上記従来の構成では洗浄範囲を多段階で可変できるようにした場合に、使用中に現在の洗浄範囲の広狭が、可変範囲におけるどの位置であるのかが分からず、使用者にとって快適な洗浄範囲を視覚的に知ることができず、良好な使い心地が得られるように調整するのが容易でなく、使い勝手が良くないという問題がある。
【０００４】
また、洗浄範囲の可変によって多様な洗浄感や洗浄効果が得られる洗浄形態を実現し、またその洗浄形態を的確に視覚認識できるようにしたトイレ装置の開発が望まれる。
【０００５】
本発明は、上記従来の問題点に鑑み、洗浄水の噴出範囲を可変できるとともに現在の噴出範囲を視覚認識でき、また多様な洗浄形態を実現でき、またその洗浄形態を視覚認識できるトイレ装置を提供することを目的としている。
【０００６】
【課題を解決するための手段】
本発明のトイレ装置は、洗浄水を局部に向けて噴出するとともにその噴出範囲を変更可能なノズル手段と、噴出範囲変更手段と、噴出範囲変更手段を制御する制御部と、制御部に対する指令手段と表示部を有するリモコンとを備え、リモコンに噴出範囲選択手段を設けるとともに噴出範囲表示部を設けたものであり、リモコンの噴出範囲選択手段を操作することで噴出範囲を任意に設定できかつその噴出範囲が噴出範囲表示部に表示されるため、噴出範囲を容易に可変できるとともに噴出範囲を視覚認識でき、したがって噴出範囲を良好な使い心地が得られるように容易に調整できて使い勝手が良い。
【０００７】
また、噴出範囲表示部は、中心部から周囲に向けて複数段階に設けられた表示片群から成り、噴出範囲に応じて中心から所要数の表示片が表示されるように構成すると、噴出範囲を一目して認識することができて使い勝手が良い。
【０００８】
また、噴出範囲表示部に、表示片群の配置範囲の全体を、各段階毎に区分して表示するスケール表示片を設けると、現在の噴出範囲が、噴出範囲の可変範囲全体のどの位置であるかが、一目して的確に認識することができ、一層使い勝手が良い。
【０００９】
また、噴出範囲の初期設定値は、噴出範囲の最大範囲と最小範囲の中間値に設定されていると、標準的な使用を行う場合に調整が不要でかつ何れの方向に調整するにしても操作が少なくて済み、使い勝手が良い。
【００１０】
また、噴出範囲選択手段にて設定された噴出範囲の設定値は、噴出動作後所定時間経過すると初期設定値に復帰するように構成されていると、前に使用した人の洗浄形態の嗜好性が後で使用する人に分かってしまうというような事態の発生を確実に防止できる。
【００１１】
また、噴出範囲の初期設定値の変更手段を設けておくと、初期設定値を任意に変更できるので、例えば幼児やお年寄りなど、噴出範囲の変更操作が苦手な人に合わせて初期設定値を調整しておくことで、変更操作の苦手な人の使い勝手を良くすることができる。
【００１２】
また、ノズル手段からの洗浄水の噴出力を可変する噴出力変更手段を設けるととともに、リモコンに噴出力選択手段と噴出力の大きさを表示する噴出力表示部を設け、制御部による制御モードとして噴出範囲を最小に絞るとともに噴出力を最大にするパワフル噴出モードを設け、リモコンにパワフル噴出選択手段を設けると、リモコンのパワフル噴出選択手段を操作することで、噴出範囲を最小に絞った状態で噴射力を最大にした噴出形態となり、強力でかつ集中した洗浄形態を簡単な操作で選択することができる。
【００１３】
また、パワフル噴出モード時に、リモコンの表示部は、噴出範囲表示部が最小範囲を表示し、噴出力表示部は最大値を表示するようにすることで、パワフル噴出モードであることを的確に視覚認識できる。
【００１４】
また、パワフル噴射モード時の専用の表示手段を表示部に設けると、パワフル噴出モードであることが一層明示的に視覚認識できる。
【００１５】
また、ノズル手段からの洗浄水の噴出力を可変する噴出力変更手段を設けるととともに、リモコンに噴出力選択手段と噴出力の大きさを表示する噴出力表示部を設け、制御部による制御モードとして噴出範囲が最大で噴射力が最小の状態と噴出範囲が最小で噴射力が最大の状態とを繰り返すマッサージ噴出モードを設け、リモコンにマッサージ噴出選択手段を設けると、マッサージ噴出選択手段を操作することで、噴出範囲が最大で噴射力が最小の状態と噴出範囲が最小で噴射力が最大の状態とが繰り返され、噴出感の強弱が非常に大きい噴出形態となり、マッサージ効果の大きい噴出形態を簡単な操作で選択することができる。
【００１６】
また、マッサージ噴出モード時に、リモコンの表示部は、噴出範囲表示部が最大範囲を、噴出力表示部は最小値を表示する状態と、噴出範囲表示部が最小範囲を、噴出力表示部は最大値を表示する状態とを、繰り返し表示するようにすると、マッサージ噴出モードであることを的確に視覚認識できる。
【００１７】
【発明の実施の形態】
以下、本発明のトイレ装置の一実施形態について、図１〜図４を参照して説明する。
【００１８】
図１において、水道端末から逆止弁（図示せず）と定流量弁（図示せず）を介して電磁開閉弁１に給水されており、洗浄時には電磁開閉弁１が開弁されてヒータ２に給水されるように構成されている。このヒータ２にて所定温度に加温された洗浄水は、モータ４にて駆動制御されるポンプ３にてノズルユニット５に給水され、そのノズル部６から局部に向けて噴射するように構成されている。ポンプ３とノズルユニット５の間には、パルスモータ８にて流路切り換え及び流量調整を行う切換弁７が介装されている。また、ノズルユニット５のノズル位置調整機構を駆動するモータ９が設けられている。電磁開閉弁１、ヒータ２、ポンプ３を駆動するモータ４、切換弁７を駆動するパルスモータ８、及び位置調整用のモータ９は制御部１０にて駆動制御される。また、制御部１０と赤外線通信手段で接続されたリモコン１１が設けられ、リモコン１１に設けられた各種スイッチからなる指令手段１２にて制御部１０に対して制御指令するとともにその制御状態を表示部１３に表示するように構成されている。
【００１９】
ヒータ２は、蛇行状の熱交換流路にセラミックヒータを臨ませて構成されている。ポンプ３とモータ４の組み合わせは、ギヤポンプとＤＣサーボモータの組み合わせが一般的であり、その電圧制御には直流電源によるＰＷＭ（パルス幅変調制御）やＰＦＭ（パルス周波数変調制御）を適用することができる。このポンプ３とモータ４の組み合わせによって、洗浄水の吐出量、即ちノズル部６からの噴出力を調整できるとともに、吐出量を脈動させることができるように構成されている。また、ポンプとモータの組み合わせに代えて電磁ポンプを用いることもできる。
【００２０】
ノズル部６は、旋回室６ａとオリフィス６ｂとエア混合室６ｃと噴出口６ｄを順次同芯状に接続して構成されている。旋回室６ａに対しては、その軸心に向けて洗浄水を流入させる軸心流入管１４とその外周部に接線方向に洗浄水を流入させる偏心流入管１５とが接続され、エア混合室６ｃにはエア導入管６ｅが接続されている。そして、ポンプ３にて送給された洗浄水を切換弁７にて軸芯流入管１４と偏芯流入管１５に対して任意の流量比で供給するように構成されている。
【００２１】
軸芯流入管１４の流量をＬ１、偏芯流入管１５の流量をＬ２として、Ｌ１＞＞Ｌ２で、Ｌ２が０に近い場合には、噴出口６ｄからの噴出される洗浄水の噴出範囲は最小の噴出範囲Ｓ１となって、集中して噴出され、逆にＬ１＜＜Ｌ２で、Ｌ１が０に近い場合には、噴出口６ｄからの噴出される洗浄水の噴出範囲は最大の噴出範囲Ｓ４となって、大きな領域に拡散して噴出され、本実施形態では切換弁７にて噴出範囲を４段階に切り換え可能に構成されている。
【００２２】
次に、リモコン１１の構成について、制御部１０による制御動作とともに図２を参照して説明する。リモコン１１には、指令手段１２として、おしり洗浄スイッチ１６、ビデ洗浄スイッチ１７、乾燥スイッチ１８、及び停止スイッチ１９が設けられ、各スイッチ１６、１７、１８を押すことで制御部１０にてそれぞれの動作制御を行い、停止スイッチ１９を押すことで動作を停止するように構成されている。
【００２３】
また、上記洗浄動作時の各種動作条件、すなわち洗浄水の噴出範囲である洗浄範囲、ノズル位置、洗浄水の噴出強さである洗浄強さ、温水及び乾燥温度を設定調整するため、各々上昇スイッチと下降スイッチからなる各一対の洗浄範囲設定スイッチ２０ａ、２０ｂ、ノズル位置設定スイッチ２１ａ、２１ｂ、洗浄強さ設定スイッチ２２ａ、２２ｂ、温水／乾燥温度設定スイッチ２３ａ、２３ｂが設けられ、それぞれ設定された条件に基づいて制御部１０が動作制御を行うように構成されている。
【００２４】
さらに、制御部１０には、その制御モードとして、噴出範囲を最小に絞るとともに噴出力を最大にするパワフル噴出モードと、噴出範囲が最大で噴射力が最小の状態と噴出範囲が最小で噴射力が最大の状態とを繰り返すマッサージ噴出モードと、パワフル噴出モードと同様のビデプラスモードが設けられ、それに対応してリモコン１１にパワフル噴出選択スイッチ２４とマッサージ噴出選択スイッチ２５とビデプラス選択スイッチ２６が設けられている。
【００２５】
また、表示部１３には、洗浄範囲表示部２７と、ノズル位置表示部２８と、洗浄強さ表示部２９と、温水／乾燥温度表示部３０、及び時刻／タイマ表示部３１が設けられている。
【００２６】
洗浄範囲表示部２７は、中心部の単一の円形表示片２７ａとその両側に向けて３段階に設けられた三日月形表示片２７ｂ、２７ｃ、２７ｄの表示片群から成っており、設定された洗浄範囲に応じて中心の円形表示片２７ａと所要数の三日月形表示片２７ｂ〜２７ｄが表示されるように構成されている。また、各表示片２７ａ〜２７ｄの下部に、それぞれの位置を常時表示するスケール表示片２７ｅが設けられている。
【００２７】
ノズル位置表示部２８は、ノズル部６の前後の位置を示す５つのノズル図形２８ａが前後に５段階に配列され、設定されたノズル位置に対応するノズル図形２８ａが表示されるように構成されている。また、各ノズル図形２８ａの下部に常時表示するスケール表示片２８ｂが設けられている。
【００２８】
洗浄強さ表示部２９は、洗浄（噴出）強さに応じて長さを異ならせた５つの棒グラフ図形２９ａが順次並列配置され、設定された洗浄強さに対応する棒グラフ図形２９ａまでの各棒グラフ図形２９ａが表示されるように構成されている。また、各棒グラフ図形２９ａの下部に常時表示するスケール表示片２９ｂが設けられている。
【００２９】
温水／乾燥温度表示部３０も同様に、温度の高さに応じて長さを異ならせた５つの棒グラフ図形３０ａが順次並列配置され、設定された温度の高さに対応する棒グラフ図形３０ａまでの各棒グラフ図形３０ａが表示されるように構成されている。また、各棒グラフ図形３０ａの下部に常時表示するスケール表示片３０ｂが設けられている。
【００３０】
なお、上記洗浄動作条件の初期設定は、設定可能範囲の中間に設定されており、それに対応して、図２に示すように、洗浄範囲表示部２７は中心部の単一の円形表示片２７ａと三日月形表示片２７ｂが表示され、ノズル位置表示部２８は５段階の中間位置のノズル図形２８ａが表示され、洗浄強さ表示部２９及び温水／乾燥温度表示部３０は５つの棒グラフ図形２９ａ、３０ａの内の３つまでが表示されている。
【００３１】
また、パワフル噴出選択スイッチ２４が押されてパワフル噴出モードが選択された場合には、噴出範囲が最小に絞られるとともに噴出力が最大になるのに対応して、図３に示すように、洗浄範囲表示部２７では中心部の単一の円形表示片２７ａのみが表示され、洗浄強さ表示部２９では５つのすべての棒グラフ図形２９ａが表示されるように構成されている。
【００３２】
また、マッサージ噴出選択スイッチ２５が押されてマッサージ噴出モードが選択された場合には、噴出範囲が最小で噴射力が最大の状態と噴出範囲が最大で噴射力が最小の状態とが繰り返されるのに対応して、図４（ａ）に示すように、洗浄範囲表示部２７では中心部の単一の円形表示片２７ａのみが表示され、洗浄強さ表示部２９では５つのすべての棒グラフ図形２９ａが表示される状態と、図４（ｂ）に示すように、洗浄範囲表示部２７ではすべての表示片２７ａ〜２７ｄが表示され、洗浄強さ表示部２９では最も短い棒グラフ図形２９ａのみが表示される状態とが上記洗浄水の噴射と同期して繰り返すように構成されている。
【００３３】
以上の構成のトイレ装置において、使用目的に応じて、リモコン１１のおしり洗浄スイッチ１６、ビデ洗浄スイッチ１７、又は乾燥スイッチ１８を押すことで、初期設定された動作条件に基づいて制御部１０によってそれぞれの動作制御が行われ、停止スイッチ１９を押すことで動作が停止する。
【００３４】
また、その動作前又は動作中に、動作条件の設定スイッチ、即ち洗浄範囲設定スイッチ２０ａ、２０ｂ、ノズル位置設定スイッチ２１ａ、２１ｂ、洗浄強さ設定スイッチ２２ａ、２２ｂ、温水／乾燥温度設定スイッチ２３ａ、２３ｂを操作することで、所望の動作条件に調整・設定することができる。また、その設定に応じて、洗浄範囲表示部２７、ノズル位置表示部２８、洗浄強さ表示部２９、温水／乾燥温度表示部３０の表示が、設定された動作条件に応じた表示に切り換わる。
【００３５】
特に、リモコン１１に洗浄範囲設定スイッチ２０ａ、２０ｂを設けるとともにその表示部１３に洗浄範囲表示部２７を設けたことにより、洗浄範囲を容易に可変できるとともに洗浄範囲を視覚認識でき、したがって洗浄範囲を良好な使い心地が得られるように容易に調整できて使い勝手が良い。また、洗浄範囲表示部２７を、中心部から周囲に向けて複数段階に設けられた表示片群２７ａ〜２７ｄにて構成し、洗浄範囲に応じて中心から所要数の表示片が表示されるように構成したので、洗浄範囲を一目して認識することができて使い勝手が良い。さらに、洗浄範囲表示部２７に、表示片群２７ａ〜２７ｄの配置範囲の全体を、各段階毎に区分して表示するスケール表示片２７ｅを設けているので、現在の洗浄範囲が、洗浄範囲の可変範囲全体のどの位置であるかが、一目して的確に認識することができ、一層使い勝手が良い。
【００３６】
また、この洗浄範囲を含めて上記動作条件の初期設定値は、図２に示したように、最大範囲と最小範囲の中間値に設定されているので、標準的な使用を行う場合に調整が不要でかつ何れの方向に調整するにしても操作が少なくて済み、使い勝手が良い。また、洗浄範囲を含めて各動作条件の設定値は、停止スイッチ１９を押して動作を停止した後、例えば１分程度の所定時間が経過すると、初期設定値に復帰するように構成されている。こうすることで、前に使用した人の洗浄形態の嗜好性が後で使用する人に分かってしまうというような事態の発生を確実に防止できる。
【００３７】
また、好適には、洗浄範囲を含めて各動作条件の初期設定値の変更手段が設けられる。具体的には、例えば設定変更スイッチ（図示せず）を設け、これを押しながら各設定スイッチ２０ａ、２０ｂ〜２３ａ、２３ｂを操作して設定調整することで、設定された値が初期設定値になるように構成される。このように、初期設定値を任意に変更できるようにすると、例えば幼児やお年寄りなど、噴出範囲の変更操作が苦手な人に合わせて初期設定値を調整しておくことで、変更操作の苦手な人の使い勝手を良くすることができる。
【００３８】
また、リモコン１１のパワフル噴出選択スイッチ２４を押すと、洗浄範囲を最小に絞った状態で噴射力を最大にした噴出形態が得られ、強力でかつ集中した洗浄形態を簡単なワンタッチ操作で選択することができ、さらにその際に表示部１３は、図３に示すように、洗浄範囲表示部２７で単一の円形表示片２７ａのみが表示されて最小範囲を表示し、洗浄強さ表示部２９で５つのすべての棒グラフ図形２９ａが表示されて最大値を表示するので、パワフル噴出モードであることを的確に視覚認識できる。
【００３９】
また、リモコン１１のマッサージ噴出選択スイッチ２５を押すと、洗浄範囲が最大で洗浄強さが最小の状態と洗浄範囲が最小で洗浄強さが最大の状態とが繰り返され、噴出感の強弱が非常に大きい噴出形態となり、マッサージ効果の大きい噴出形態を簡単なワンタッチ操作で選択することができ、さらにその際に表示部１３は、図４に示すように、洗浄範囲表示部２７が最大範囲を、洗浄強さ表示部２９は最小値を表示する状態と、洗浄範囲表示部２７が最小範囲を、洗浄強さ表示部２９は最大値を表示する状態とを、繰り返し表示するので、マッサージ噴出モードであることを的確に視覚認識できる。
【００４０】
なお、以上の説明では、パワフル噴出モード時に、図３に示すように、洗浄範囲表示部２７で単一の円形表示片２７ａのみが表示され、洗浄強さ表示部２９で５つのすべての棒グラフ図形２９ａが表示されるようにした例を示したが、表示状態が地味で、パワフルである印象を与えにくいため、例えば、図５に示すように、洗浄範囲表示部２７の円形表示片２７ａの上部に、集中状態を強調するように、上向き矢印を示す表示片群３２を表示するようにし、また洗浄強さ表示部２９の最長の棒グラフ図形２９ａの側部に１又は複数のＬＥＤ３３を配置し、このＬＥＤ３３を点灯表示させるようにしてもよい。こうすると、パワフル噴出モードであることを一層的確に視覚認識できる。
【００４１】
また、洗浄範囲表示部２７として、単一の円形表示片２７ａとその両側に向けて３段階に設けられた三日月形表示片２７ｂ、２７ｃ、２７ｄの表示片群にて構成したものを例示したが、これに限定されるものではなく、例えば、図６（ａ）に示すように、噴出範囲の拡大に応じて扇形表示が拡がるように、複数の扇形表示片群３４にて構成したり、図６（ｂ）に示すように、噴出範囲の拡大に応じて矢印表示の数が扇形に増加するように、複数の矢印表示群３５にて構成したり、図６（ｃ）に示すように、噴出範囲の拡大に応じて同心円が増加するように、複数の同心円表示群３６にて構成したり、図６（ｄ）に示すように、ノズル部６からの噴出範囲を側面視で図形化した噴出図形表示群３７にて構成したり、噴出範囲を目視認識し易い、任意の図形の表示片群にて構成すれば良い。
【００４２】
【発明の効果】
本発明のトイレ装置によれば、リモコンに噴出範囲選択手段を設けるとともに噴出範囲表示部を設けたので、リモコンの噴出範囲選択手段を操作することで噴出範囲を任意に設定できかつその噴出範囲が噴出範囲表示部に表示することができ、噴出範囲を容易に可変できるとともに噴出範囲を視覚認識でき、従って噴出範囲を良好な使い心地が得られるように容易に調整でき、使い勝手の良いトイレ装置を提供できる。
【００４３】
また、制御部による制御モードとして噴出範囲を最小に絞るととともに噴出力を最大にするパワフル噴出モードを設け、リモコンにパワフル噴出選択手段を設けると、パワフル噴出選択手段を操作することで強力でかつ集中した洗浄形態を簡単な操作で選択することができ、さらにそのパワフル噴出モード時に、リモコンの噴出範囲表示部が最小範囲を表示し、噴出力表示部が最大値を表示するようにすることで、パワフル噴出モードであることを的確に視覚認識できる。
【００４４】
また、制御部による制御モードとして噴出範囲が最大で噴射力が最小の状態と噴出範囲が最小で噴射力が最大の状態とを繰り返すマッサージ噴出モードを設け、リモコンにマッサージ噴出選択手段を設けると、マッサージ噴出選択手段を操作することで、噴出範囲が最大で噴射力が最小の状態と噴出範囲が最小で噴射力が最大の状態とが繰り返され、噴出感の強弱が非常に大きい噴出形態となり、マッサージ効果の大きい噴出形態を簡単な操作で選択することができ、さらにそのマッサージ噴出モード時に、噴出範囲表示部が最大範囲を、噴出力表示部は最小値を表示する状態と、噴出範囲表示部が最小範囲を、噴出力表示部は最大値を表示する状態とを、繰り返し表示するようにすることで、マッサージ噴出モードであることを的確に視覚認識できる。
【図面の簡単な説明】
【図１】本発明の一実施形態のトイレ装置の概略構成図である。
【図２】同実施形態のトイレ装置のリモコンの構成図である。
【図３】同実施形態におけるパワフル噴出モード時の表示部における表示状態の説明図である。
【図４】同実施形態におけるマッサージ噴出モード時の表示部における表示状態の説明図である。
【図５】同実施形態の表示部の変形例におけるパワフル噴出モード時の表示状態の説明図である。
【図６】同実施形態の表示部における噴出範囲表示部の各種変形例の説明図である。
【符号の説明】
３　ポンプ（噴出力変更手段）
６　ノズル部（ノズル手段）
７　切換弁（噴出範囲変更手段）
１０　制御部
１１　リモコン
１２　指令手段
１３　表示部
２０ａ、２０ｂ　洗浄範囲設定スイッチ（噴出範囲選択手段）
２２ａ、２２ｂ　洗浄強さ設定スイッチ（噴出力選択手段）
２４　パワフル噴出選択スイッチ
２５　マッサージ噴出選択スイッチ
２７　洗浄範囲表示部（噴出範囲表示部）
２７ａ〜２７ｄ　表示片群
２７ｅ　スケール表示片
２９　洗浄強さ表示部（噴出力表示部）
【図１】
2004060332.tif 000003
【図２】
2004060332.tif 000004
【図３】
2004060332.tif 000005
【図４】
2004060332.tif 000006
【図５】
2004060332.tif 000007
【図６】
2004060332.tif 000008